(57)【要約】【課題】中心部から周辺部まで、明るく高い解像度を有する撮像レンズおよびカメラを提供する。【解決手段】撮像レンズ１１０は、被写体から撮像素子１２０に向けて順に配置された、正の屈折力を有する第１レンズ素子１０と、負の屈折力を有する第２レンズ素子２０と、開口を有する絞り７０と、正の屈折力を有する第３レンズ素子３０と、正の屈折力を有する第４レンズ素子４０と、負の屈折力を有する第５レンズ素子５０と、からなる。レンズ全系の焦点距離ｆとする。第３レンズ素子３０の被写体に向かい合う面と撮像素子１２０に向かい合う面との距離Ｄ１とし、Ｄ１／ｆ≧０．２９４である。第５レンズ素子５０の被写体に向かい合う面と撮像素子１２０に向かい合う面との距離Ｄ２とし、Ｄ２／ｆ≧０．１７である。【選択図】図１
2019066583.tif 000002
【特許請求の範囲】
【請求項１】
被写体から撮像素子に向けて順に配置された、
正の屈折力を有する第１レンズ素子と、
負の屈折力を有する第２レンズ素子と、
開口を有する開口絞りと、
正の屈折力を有する第３レンズ素子と、
正の屈折力を有する第４レンズ素子と、
負の屈折力を有する第５レンズ素子と、からなり、
レンズ全系の焦点距離ｆとし、
前記第３レンズ素子の被写体に向かい合う面と前記撮像素子に向かい合う面との距離Ｄ１とし、Ｄ１／ｆ≧０．２９４であり、
前記第５レンズ素子の被写体に向かい合う面と前記撮像素子に向かい合う面との距離Ｄ２とし、Ｄ２／ｆ≧０．１７である、
ことを特徴とする撮像レンズ。
【請求項２】
前記第１レンズ素子は、前記撮像素子に向かい合う面の周辺部に第１の接触面を有し、
前記第２レンズ素子は、前記被写体に向かい合う面の周辺部に前記第１の接触面に接触する第２の接触面を有する、
ことを特徴とする請求項１に記載の撮像レンズ。
【請求項３】
前記第１レンズ素子から前記第５レンズ素子は、ガラスから構成される、
ことを特徴とする請求項１または２に記載の撮像レンズ。
【請求項４】
前記第１レンズ素子から前記第５レンズ素子の両面は、球面で構成される、
ことを特徴とする請求項１から３の何れか１項に記載の撮像レンズ。
【請求項５】
請求項１から４の何れか１項に記載の撮像レンズと、
前記レンズにより撮像面に被写体像が結像される撮像素子と、
を備えるカメラ。
【発明の詳細な説明】
【技術分野】
【０００１】
本発明は、撮像レンズおよびカメラに関する。
【背景技術】
【０００２】
車載用のカメラを用いた運転支援システムの開発が進められている。車載用のカメラに用いられる撮像レンズは、良好な光学性能を有することが要望されている。この要望を満たすために、特許文献１は、非球面レンズを有する撮像レンズ系を開示する。この撮像レンズ系は、非球面レンズにより歪曲収差を補正し、周辺部に歪みのない画像が得られる。
【先行技術文献】
【特許文献】
【０００３】
【特許文献１】特開２０１６−６５９５４号公報
【発明の概要】
【発明が解決しようとする課題】
【０００４】
車載用のカメラでは、歪曲収差を補正することのみならず、周辺部の明るさや解像度が高いことが求められている。このため、車載用のカメラに用いられる撮像レンズにも、周辺部の明るさや解像度が高いことが求められている。
【０００５】
本発明は、上記実情に鑑みてなされたものであり、中心部から周辺部まで、明るく高い解像度を有する撮像レンズおよびカメラを提供することを目的とする。
【課題を解決するための手段】
【０００６】
上記目的を達成するため、本発明の第１の観点に係る撮像レンズは、
被写体から撮像素子に向けて順に配置された、
正の屈折力を有する第１レンズ素子と、
負の屈折力を有する第２レンズ素子と、
開口を有する開口絞りと、
正の屈折力を有する第３レンズ素子と、
正の屈折力を有する第４レンズ素子と、
負の屈折力を有する第５レンズ素子と、からなり、
レンズ全系の焦点距離ｆとし、
前記第３レンズ素子の被写体に向かい合う面と前記撮像素子に向かい合う面との距離Ｄ１とし、Ｄ１／ｆ≧０．２９４であり、
前記第５レンズ素子の被写体に向かい合う面と前記撮像素子に向かい合う面との距離Ｄ２とし、Ｄ２／ｆ≧０．１７である、
ことを特徴とする。
【０００７】
このようにすることで、第３レンズ素子および第５レンズ素子を構成するレンズ面の曲率半径を大きくできる。これにより、中心部から周辺部まで、明るく高い解像度を有する画像が得られる。
【０００８】
前記第１レンズ素子は、前記撮像素子に向かい合う面の周辺部に第１の接触面を有し、
前記第２レンズ素子は、前記被写体に向かい合う面の周辺部に前記第１の接触面に接触する第２の接触面を有してもよい。
このようにすることで、第１レンズ素子と第２レンズ素子の光軸がずれることを防ぐことができる。
【０００９】
前記第１レンズ素子から前記第５レンズ素子は、ガラスから構成されてもよい。
このようにすることで、温度変化によるピントのずれや解像度の劣化を防ぐことができる。
【００１０】
前記第１レンズ素子から前記第５レンズ素子の両面は、球面で構成されてもよい。
このようにすることで、前記第１レンズ素子から前記第５レンズ素子が、ガラスから構成される場合でも、容易に作成することができる。
【００１１】
上記目的を達成するため、本発明の第２の観点に係るカメラは、
前記撮像レンズと、
前記レンズにより撮像面に被写体像が結像される撮像素子と、
を備える。
【発明の効果】
【００１２】
本発明によれば、Ｄ１／ｆ≧０．２９４、およびＤ２／ｆ≧０．１７を満たすことで、第３レンズ素子および第５レンズ素子を構成するレンズ面の曲率半径を大きくできる。これにより、中心部から周辺部まで、明るく高い解像度を有する撮像レンズおよびカメラを提供することが可能となる。
【図面の簡単な説明】
【００１３】
【図１】本発明の実施の形態に係るカメラを示す断面図である。
【図２】本発明の実施例１に係る撮像レンズの周辺光量比を示す図である。
【図３】本発明の実施例１に係る撮像レンズのＭＴＦを示す図である。
【図４】（Ａ）は、本発明の実施例１に係る撮像レンズの像面湾曲を示す図であり、（Ｂ）は、本発明の実施例１に係る撮像レンズのF-tan(theta)distortionを示す図であり、（Ｃ）は、本発明の実施例１に係る撮像レンズのF-theta distortionを示す図である。
【図５】本発明の実施例２に係る撮像レンズの周辺光量比を示す図である。
【図６】本発明の実施例２に係る撮像レンズのＭＴＦを示す図である。
【図７】（Ａ）は、本発明の実施例２に係る撮像レンズの像面湾曲を示す図であり、（Ｂ）は、本発明の実施例２に係る撮像レンズのF-tan(theta)distortionを示す図であり、（Ｃ）は、本発明の実施例２に係る撮像レンズのF-theta distortionを示す図である。
【図８】本発明の実施例３に係る撮像レンズの周辺光量比を示す図である。
【図９】本発明の実施例３に係る撮像レンズのＭＴＦを示す図である。
【図１０】（Ａ）は、本発明の実施例３に係る撮像レンズの像面湾曲を示す図であり、（Ｂ）は、本発明の実施例３に係る撮像レンズのF-tan(theta)distortionを示す図であり、（Ｃ）は、本発明の実施例３に係る撮像レンズのF-theta distortionを示す図である。
【図１１】本発明の実施例４に係る撮像レンズの周辺光量比を示す図である。
【図１２】本発明の実施例４に係る撮像レンズのＭＴＦを示す図である。
【図１３】（Ａ）は、本発明の実施例４に係る撮像レンズの像面湾曲を示す図であり、（Ｂ）は、本発明の実施例４に係る撮像レンズのF-tan(theta)distortionを示す図であり、（Ｃ）は、本発明の実施例４に係る撮像レンズのF-theta distortionを示す図である。
【図１４】本発明の実施例５に係る撮像レンズの周辺光量比を示す図である。
【図１５】本発明の実施例５に係る撮像レンズのＭＴＦを示す図である。
【図１６】（Ａ）は、本発明の実施例５に係る撮像レンズの像面湾曲を示す図であり、（Ｂ）は、本発明の実施例５に係る撮像レンズのF-tan(theta)distortionを示す図であり、（Ｃ）は、本発明の実施例５に係る撮像レンズのF-theta distortionを示す図である。
【図１７】本発明の実施例６に係る撮像レンズの周辺光量比を示す図である。
【図１８】本発明の実施例６に係る撮像レンズのＭＴＦを示す図である。
【図１９】（Ａ）は、本発明の実施例６に係る撮像レンズの像面湾曲を示す図であり、（Ｂ）は、本発明の実施例６に係る撮像レンズのF-tan(theta)distortionを示す図であり、（Ｃ）は、本発明の実施例６に係る撮像レンズのF-theta distortionを示す図である。
【図２０】本発明の実施例７に係る撮像レンズの周辺光量比を示す図である。
【図２１】本発明の実施例７に係る撮像レンズのＭＴＦを示す図である。
【図２２】（Ａ）は、本発明の実施例７に係る撮像レンズの像面湾曲を示す図であり、（Ｂ）は、本発明の実施例７に係る撮像レンズのF-tan(theta)distortionを示す図であり、（Ｃ）は、本発明の実施例７に係る撮像レンズのF-theta distortionを示す図である。
【図２３】本発明の実施例８に係る撮像レンズの周辺光量比を示す図である。
【図２４】本発明の実施例８に係る撮像レンズのＭＴＦを示す図である。
【図２５】（Ａ）は、本発明の実施例８に係る撮像レンズの像面湾曲を示す図であり、（Ｂ）は、本発明の実施例８に係る撮像レンズのF-tan(theta)distortionを示す図であり、（Ｃ）は、本発明の実施例８に係る撮像レンズのF-theta distortionを示す図である。
【図２６】比較例１に係るカメラを示す断面図である。
【図２７】比較例１に係る撮像レンズの周辺光量比を示す図である。
【図２８】比較例１に係る撮像レンズのＭＴＦを示す図である。
【図２９】（Ａ）は、比較例１に係る撮像レンズの像面湾曲を示す図であり、（Ｂ）は、比較例１に係る撮像レンズのF-tan(theta)distortionを示す図であり、（Ｃ）は、比較例１に係る撮像レンズのF-theta distortionを示す図である。
【図３０】比較例２に係る撮像レンズの周辺光量比を示す図である。
【図３１】比較例２に係る撮像レンズのＭＴＦを示す図である。
【図３２】（Ａ）は、比較例２に係る撮像レンズの像面湾曲を示す図であり、（Ｂ）は、比較例２に係る撮像レンズのF-tan(theta)distortionを示す図であり、（Ｃ）は、比較例２に係る撮像レンズのF-theta distortionを示す図である。
【発明を実施するための形態】
【００１４】
以下、本発明を実施するための形態に係る撮像レンズを、車載用のカメラに備えられる撮像レンズを例に図面を参照しながら詳細に説明する。
【００１５】
本発明の実施の形態に係るカメラ１００は、図１に示すように、第１〜第５レンズ素子１０〜５０からなる撮像レンズ１１０と、撮像レンズ１１０により撮像面に被写体像が結像される撮像素子１２０と、絞り７０と、撮像レンズ１１０と撮像素子１２０と絞り７０とを収容するハウジング１３０と、を備える。カメラ１００は、車両後方の画像を撮像する車載カメラとして用いられるものである。なお、撮像レンズ１１０は、レンズ全系の焦点距離ｆを有する。
【００１６】
撮像素子１２０は、撮像レンズ１１０により撮像面に結像された被写体像を電気信号に変換する。撮像素子１２０は、被写体像を電気信号に変換するものであれば特に限定されず、例えばＣＣＤ（Charge-Coupled Device）型イメージセンサ、ＣＭＯＳ（Complementary Metal Oxide Semiconductor）型イメージセンサ等から構成される。撮像素子１２０の撮像面には、平板状のガラスフィルタ６０が配置されている。ガラスフィルタ６０は、ローパスフィルタ、赤外線カットフィルタなどから構成される。
【００１７】
ハウジング１３０内には、被写体から撮像素子１２０に向けて順に、第１レンズ素子１０、第２レンズ素子２０、絞り７０、第３レンズ素子３０、第４レンズ素子４０、第５レンズ素子５０が、配置されている。
【００１８】
第１レンズ素子１０は、ガラスから構成され、正の屈折力を有する凸メニスカスレンズである。第１レンズ素子１０の被写体に向かい合う面１１が凸面であり、撮像素子１２０に向かい合う面１２が凹面である。面１１および面１２は、球面として成形される。第１レンズ素子１０は、面１２の周辺部に第１の接触面１３を有する。外界に接する第１レンズ素子１０には、カメラ１００を車外に取り付け可能とするために、硬さおよび耐水性の高いガラスを用いる。第１レンズ素子１０には、ヌープ硬さＨｋが７３０以上、耐水性等級１のガラスを用いることが好ましい。例えば、第１レンズ素子１０を構成するガラスとして、オハラ社製のＳ−ＬＡＨ６５Ｖ（ヌープ硬さＨｋ＝７３０、耐水性等級１）を用いるとよい。なお、後述する第２〜第５レンズ素子２０〜５０は、外界に接しないので、第１レンズ素子１０を構成するガラスより硬さおよび耐水性の低いガラスを用いてもよい。
【００１９】
第２レンズ素子２０は、ガラスから構成され、負の屈折力を有する。第２レンズ素子２０の被写体の向かい合う面２１および撮像素子１２０に向かい合う面２２は、それぞれ凹面である。面２１および面２２は、球面として成形される。第２レンズ素子２０は、面２１の周辺部に第１の接触面１３に接触する第２の接触面２３を有する。
【００２０】
絞り７０は、開口部７１を有する非透光性の樹脂から構成され、第２レンズ素子２０と第３レンズ素子３０の間に配置される。絞り７０は、撮像レンズ１２０のＦ値を決定するものである。
【００２１】
第３レンズ素子３０は、ガラスから構成され、正の屈折力を有する。第３レンズ素子３０の被写体に向かい合う面３１および撮像素子１２０に向かい合う面３２は、それぞれ凸面である。面３１および面３２は、球面として形成される。第３レンズ素子３０の面３２と面３２との光軸Ｌ上における距離Ｄ１とすると、Ｄ１／ｆは、０．２９４以上であり、好ましくは、０．３７５以上である。また、Ｄ１／ｆは、好ましくは０．５２４以下であり、より好ましくは、０．４１４以下である。これにより、面３２と面３２の曲率半径を大きくすることができる。
【００２２】
第４レンズ素子４０は、ガラスから構成され、正の屈折力を有する凹メニスカスレンズである。第４レンズ素子４０の被写体に向かい合う面４１は、凹面であり、撮像素子１２０に向かい合う面４２は、凸面である。面４１および面４２は、球面として形成される。第４レンズ素子４０の面４１は、第３レンズ素子３０の面３２に接合される。これにより、球面収差を小さくすることができる。
【００２３】
第５レンズ素子５０は、ガラスから構成され、負の屈折力を有する凹メニスカスレンズである。第５レンズ素子５０の被写体に向かい合う面５１は、凹面であり、撮像素子１２０に向かい合う面５２は、凸面である。面５１および面５２は、球面として形成される。第５レンズ素子５０の面５１と面５２との距離Ｄ２とすると、Ｄ２／ｆは０．１７以上であり、好ましくは０．３１１以上である。また、好ましくは、Ｄ２／ｆは、好ましくは０．３５４以下であり、より好ましくは０．３１３以下である。これにより、面５１と面５２の曲率半径を大きくすることができる。
【００２４】
次に、上記構成を有する撮像レンズ１１０の具体的な数値による実施例を以下に示す。実施例１〜４では、Ｄ１／ｆが、０．３７５以上０．４１４以下であり、Ｄ２／ｆが０．３１１以上０．３１３以下である例を示す。実施例５〜８では、Ｄ１／ｆは、０．２９４以上０．５２４以下であり、Ｄ２／ｆは０．１７以上０．３５４以下である例を示す。以下に示す実施例では、８３．００ｃｙｃ／ｍｍにおけるＭＴＦ（Modulation Transfer Function）の値が、中心で０．７以上、且つ周辺部で０．５以上である場合、優れた解像度を有するとし、中心で０．６５以上、且つ周辺部で０．４５以上である場合、良好な解像度を有するとした。
【００２５】
（実施例１）
実施例１の撮像レンズ１１０は、第３レンズ素子３０の面３１と面３２との光軸Ｌ上の距離Ｄ１＝５．３６（ｍｍ）であり、第５レンズ素子５０の面５１と面５２との光軸Ｌ上の距離Ｄ２＝４．０８（ｍｍ）である。Ｄ１／ｆは、０．４１０７であり、Ｄ２／ｆは、０．３１２６である。
【００２６】
物体距離：∞
レンズ全系の焦点距離ｆ：１３．０５０６（ｍｍ）
Ｆ値：２．１２０８
半画角：１２．４９°
像高：３．３０４５（ｍｍ）
バックフォーカス：２．００９４８（ｍｍ）
第１レンズ素子１０の面１１から撮像素子１２０の撮像面までの光軸Ｌ上における距離ＴＬ：１７．８７９５（ｍｍ）
【００２７】
第１レンズ素子１０のパワー値＝０．１１９４１、第１レンズ素子１０の屈折率ｎｄ１＝１．８０３９９９、アッベ数ｖｄ１＝４６．５８、面１１の曲率半径Ｒ１１＝６．７３３（ｍｍ）、面１２の曲率半径Ｒ１２＝１５．９８２（ｍｍ）、直径＝９．４（ｍｍ）、面１１と面１２との光軸Ｌ上の距離Ｄ３＝２．７５（ｍｍ）
【００２８】
第２レンズ素子２０のパワー値＝−０．０２０１８、第２レンズ素子２０の屈折率ｎｄ２＝１．８４６６６３、アッベ数ｖｄ２＝２３．７８、面２１の曲率半径Ｒ２１＝−４１．９６（ｍｍ）、面２２の曲率半径Ｒ２２＝２２．２４２（ｍｍ）、直径＝８．４（ｍｍ）、面１２と面２１との光軸Ｌ上の距離Ｄ４＝０．５５（ｍｍ）、面２１と面２２との光軸Ｌ上の距離Ｄ５＝０．６８（ｍｍ）
【００２９】
絞り７０の開口部７１の直径Ｒ７１＝４．６１１（ｍｍ）、面２２と絞り７０との光軸Ｌ上の距離Ｄ６＝０．９６（ｍｍ）
【００３０】
第３レンズ素子３０のパワー値＝０．０９９１１、第３レンズ素子３０の屈折率ｎｄ３＝１．９５３７４７、アッベ数ｖｄ３＝３２．３２、面３１の曲率半径Ｒ３１＝９．６２３（ｍｍ）、面３２の曲率半径Ｒ３２＝−５．２４９（ｍｍ）、直径＝５．６（ｍｍ）、絞り７０と面３１との光軸Ｌ上の距離Ｄ７＝０．１（ｍｍ）
【００３１】
第４レンズ素子４０のパワー値＝０．００５８８４、第４レンズ素子４０の屈折率ｎｄ４＝１．９２２８６、アッベ数ｖｄ４＝２０．８８、面４１の曲率半径Ｒ４１＝−５．２４９（ｍｍ）、面４２の曲率半径Ｒ４２＝−２１．３４３（ｍｍ）、直径＝８．０（ｍｍ）、面４１と面４２との光軸Ｌ上の距離Ｄ８＝０．５（ｍｍ）
【００３２】
第５レンズ素子５０のパワー値＝−０．２０８５９、第５レンズ素子５０の屈折率ｎｄ５＝１．８４６６６３、アッベ数ｖｄ５＝２３．７８、面５１の曲率半径Ｒ５１＝−４．０５９（ｍｍ）、面５２の曲率半径Ｒ５２＝−１０．２２３（ｍｍ）、直径＝９．６（ｍｍ）、面４２と面５１との光軸Ｌ上の距離Ｄ９＝０．８９（ｍｍ）
【００３３】
ガラスフィルタ６０の屈折率ｎｄ６＝１．５１６７９８、アッベ数ｖｄ６＝６４．２、面６１の曲率半径Ｒ６１＝∞、面６２の曲率半径Ｒ６２＝∞、面５２と面６１との光軸Ｌ上の距離Ｄ１０＝１．５６４４８（ｍｍ）、面６１と面６２との光軸Ｌ上の距離Ｄ１１＝０．４（ｍｍ）、面６２と撮像素子１２０の撮像面との光軸Ｌ上の距離＝０．０４５（ｍｍ）
【００３４】
実施例１の撮像レンズ１１０における周辺光量比を図２に示す。８３．００ｃｙｃ／ｍｍにおける撮像レンズ１１０のＭＴＦを図３に示す。実線Ｔは、タンジェンシャル面におけるＭＴＦを表し、破線Ｓは、サジタル面におけるＭＴＦを表す。ＭＴＦは、撮像レンズ１１０の結像性能を知るために、被写体の持つコントラストをどの程度忠実に再現できるかを空間周波数特性として表現したものである。撮像レンズ１１０の像面湾曲を図４（Ａ）、F-tan(theta)distortionを図４（Ｂ）、F-theta distortionを図４（Ｃ）に示す。像面湾曲およびF-tan(theta)distortionは、６５６ｎｍ、５８８ｎｍ、５４６ｎｍ、４８６ｎｍ、４３６ｎｍの波長の光それぞれについて示す。像面湾曲を示す図における実線は、タンジェンシャル面における像面湾曲を表し、破線は、サジタル面における像面湾曲を表す。実施例１の撮像レンズ１１０では、周辺光量比は、周辺部で８８％であり、周辺部まで明るいことがわかる。ＭＴＦの値は、中心で０．７以上、周辺部で０．５以上であり、優れた解像度を有することがわかる。撮像レンズ１１０の像面湾曲は、−０．０４〜０．０６ｍｍの間に分布しており、良好である。F-tan(theta)distortionは、０〜０．５％の間に分布しており、F-theta distortionは、０〜２％の間に分布しており、良好である。
【００３５】
（実施例２）
実施例２の撮像レンズ１１０は、第３レンズ素子３０の面３１と面３２との光軸Ｌ上の距離Ｄ１＝４．９（ｍｍ）であり、第５レンズ素子５０の面５１と面５２との光軸Ｌ上の距離Ｄ２＝４．０８（ｍｍ）である。Ｄ１／ｆは、０．３７５２であり、Ｄ２／ｆは、０．３１２４である。
【００３６】
物体距離：∞
レンズ全系の焦点距離ｆ：１３．０５８８（ｍｍ）
Ｆ値：２．１２３９
半画角：１２．４９°
像高：３．３０４５（ｍｍ）
バックフォーカス：２．１９８７７（ｍｍ）
第１レンズ素子１０の面１１から撮像素子１２０の撮像面までの光軸Ｌ上における距離ＴＬ：１７．７４８８（ｍｍ）
【００３７】
第１レンズ素子１０のパワー値＝０．１２２７、第１レンズ素子１０の屈折率ｎｄ１＝１．８０３９９９、アッベ数ｖｄ１＝４６．５８、面１１の曲率半径Ｒ１１＝６．５８６（ｍｍ）、面１２の曲率半径Ｒ１２＝１５．２８８（ｍｍ）、直径＝９．４（ｍｍ）、面１１と面１２との光軸Ｌ上の距離Ｄ３＝２．７６（ｍｍ）
【００３８】
第２レンズ素子２０のパワー値＝−０．０１９６８、第２レンズ素子２０の屈折率ｎｄ２＝１．８４６６６３、アッベ数ｖｄ２＝２３．７８、面２１の曲率半径Ｒ２１＝−４２．５０９（ｍｍ）、面２２の曲率半径Ｒ２２＝２１．３９５（ｍｍ）、直径＝８．４（ｍｍ）、面１２と面２１との光軸Ｌ上の距離Ｄ４＝０．５５（ｍｍ）、面２１と面２２との光軸Ｌ上の距離Ｄ５＝０．６９（ｍｍ）
【００３９】
絞り７０の開口部７１の直径Ｒ７１＝４．５８４（ｍｍ）、面２２と絞り７０との光軸Ｌ上の距離Ｄ６＝０．８６（ｍｍ）
【００４０】
第３レンズ素子３０のパワー値＝０．１００２４、第３レンズ素子３０の屈折率ｎｄ３＝１．９５３７４７、アッベ数ｖｄ３＝３２．３２、面３１の曲率半径Ｒ３１＝９．５１５（ｍｍ）、面３２の曲率半径Ｒ３２＝−５．５３１（ｍｍ）、直径＝５．６（ｍｍ）、絞り７０と面３１との光軸Ｌ上の距離Ｄ７＝０．３３（ｍｍ）
【００４１】
第４レンズ素子４０のパワー値＝０．０４９５、第４レンズ素子４０の屈折率ｎｄ４＝１．９２２８６、アッベ数ｖｄ４＝２０．８８、面４１の曲率半径Ｒ４１＝−５．５３１（ｍｍ）、面４２の曲率半径Ｒ４２＝−２０．９８６（ｍｍ）、直径＝８．０（ｍｍ）、面４１と面４２との光軸Ｌ上の距離Ｄ８＝０．５（ｍｍ）
【００４２】
第５レンズ素子５０のパワー値＝−０．０９１１５、第５レンズ素子５０の屈折率ｎｄ５＝１．８４６６６３、アッベ数ｖｄ５＝２３．７８、面５１の曲率半径Ｒ５１＝−４．１５３（ｍｍ）、面５２の曲率半径Ｒ５２＝−１０．８９５（ｍｍ）、直径＝９．６（ｍｍ）、面４２と面５１との光軸Ｌ上の距離Ｄ９＝０．８８（ｍｍ）
【００４３】
ガラスフィルタ６０の屈折率ｎｄ６＝１．５１６７９８、アッベ数ｖｄ６＝６４．２、面６１の曲率半径Ｒ６１＝∞、面６２の曲率半径Ｒ６２＝∞、面５２と面６１との光軸Ｌ上の距離Ｄ１０＝１．７５３７７（ｍｍ）、面６１と面６２との光軸Ｌ上の距離Ｄ１１＝０．４（ｍｍ）、面６２と撮像素子１２０の撮像面との光軸Ｌ上の距離＝０．０４５（ｍｍ）
【００４４】
実施例２の撮像レンズ１１０における周辺光量比を図５に示す。８３．００ｃｙｃ／ｍｍにおける撮像レンズ１１０のＭＴＦを図６に示す。撮像レンズ１１０の像面湾曲を図７（Ａ）、F-tan(theta)distortionを図７（Ｂ）、F-theta distortionを図７（Ｃ）に示す。像面湾曲およびF-tan(theta)distortionは、６５６ｎｍ、５８８ｎｍ、５４６ｎｍ、４８６ｎｍ、４３６ｎｍの波長の光それぞれについて示す。実施例２の撮像レンズ１１０では、周辺光量比は、周辺部で８８％であり、周辺部まで明るいことがわかる。ＭＴＦの値は、中心で０．７以上、周辺部で０．５以上であり、優れた解像度を有することがわかる。撮像レンズ１１０の像面湾曲は、−０．０４〜０．０６ｍｍの間に分布しており、良好である。F-tan(theta)distortionは、−０．２〜０％の間に分布しており、F-theta distortionは、０〜２％の間に分布しており、良好である。
【００４５】
（実施例３）
実施例３の撮像レンズ１１０は、第３レンズ素子３０の面３１と面３２との光軸Ｌ上の距離Ｄ１＝５．４（ｍｍ）であり、第５レンズ素子５０の面５１と面５２との光軸Ｌ上の距離Ｄ２＝４．０８（ｍｍ）である。Ｄ１／ｆは、０．４１３８であり、Ｄ２／ｆは、０．３１２６である。
【００４６】
物体距離：∞
レンズ全系の焦点距離ｆ：１３．０４８６（ｍｍ）
Ｆ値：２．１２１３
半画角：１２．４９°
像高：３．３０４５（ｍｍ）
バックフォーカス：２．０１０１２（ｍｍ）
第１レンズ素子１０の面１１から撮像素子１２０の撮像面までの光軸Ｌ上における距離ＴＬ：１７．８９０１（ｍｍ）
【００４７】
第１レンズ素子１０のパワー値＝０．１１９１６、第１レンズ素子１０の屈折率ｎｄ１＝１．８０３９９９、アッベ数ｖｄ１＝４６．５８、面１１の曲率半径Ｒ１１＝６．７４７（ｍｍ）、面１２の曲率半径Ｒ１２＝１６．０８３（ｍｍ）、直径＝９．４（ｍｍ）、面１１と面１２との光軸Ｌ上の距離Ｄ３＝２．７４（ｍｍ）
【００４８】
第２レンズ素子２０のパワー値＝−０．０２００３、第２レンズ素子２０の屈折率ｎｄ２＝１．８４６６６３、アッベ数ｖｄ２＝２３．７８、面２１の曲率半径Ｒ２１＝−４２．２７（ｍｍ）、面２２の曲率半径Ｒ２２＝２２．３９７（ｍｍ）、直径＝８．４（ｍｍ）、面１２と面２１との光軸Ｌ上の距離Ｄ４＝０．５４（ｍｍ）、面２１と面２２との光軸Ｌ上の距離Ｄ５＝０．６８（ｍｍ）
【００４９】
絞り７０の開口部７１の直径Ｒ７１＝４．６１１（ｍｍ）、面２２と絞り７０との光軸Ｌ上の距離Ｄ６＝０．９６（ｍｍ）
【００５０】
第３レンズ素子３０のパワー値＝０．０９８５、第３レンズ素子３０の屈折率ｎｄ３＝１．９５３７４７、アッベ数ｖｄ３＝３２．３２、面３１の曲率半径Ｒ３１＝９．６８３（ｍｍ）、面３２の曲率半径Ｒ３２＝−５．２３３（ｍｍ）、直径＝５．６（ｍｍ）、絞り７０と面３１との光軸Ｌ上の距離Ｄ７＝０．０９（ｍｍ）
【００５１】
第４レンズ素子４０のパワー値＝０．００５９０２、第４レンズ素子４０の屈折率ｎｄ４＝１．９２２８６、アッベ数ｖｄ４＝２０．８８、面４１の曲率半径Ｒ４１＝−５．２３３（ｍｍ）、面４２の曲率半径Ｒ４２＝−２１．２７７（ｍｍ）、直径＝８．０（ｍｍ）、面４１と面４２との光軸Ｌ上の距離Ｄ８＝０．５（ｍｍ）
【００５２】
第５レンズ素子５０のパワー値＝−０．２０８３３、第５レンズ素子５０の屈折率ｎｄ５＝１．８４６６６３、アッベ数ｖｄ５＝２３．７８、面５１の曲率半径Ｒ５１＝−４．０６４（ｍｍ）、面５２の曲率半径Ｒ５２＝−１０．２４９（ｍｍ）、直径＝９．６（ｍｍ）、面４２と面５１との光軸Ｌ上の距離Ｄ９＝０．８９（ｍｍ）
【００５３】
ガラスフィルタ６０の屈折率ｎｄ６＝１．５１６７９８、アッベ数ｖｄ６＝６４．２、面６１の曲率半径Ｒ６１＝∞、面６２の曲率半径Ｒ６２＝∞、面５２と面６１との光軸Ｌ上の距離Ｄ１０＝１．７５３７７（ｍｍ）、面６１と面６２との光軸Ｌ上の距離Ｄ１１＝０．４（ｍｍ）、面６２と撮像素子１２０の撮像面との光軸Ｌ上の距離＝０．０４５（ｍｍ）
【００５４】
実施例３の撮像レンズ１１０における周辺光量比を図８に示す。８３．００ｃｙｃ／ｍｍにおける撮像レンズ１１０のＭＴＦを図９に示す。撮像レンズ１１０の像面湾曲を図１０（Ａ）、F-tan(theta)distortionを図１０（Ｂ）、F-theta distortionを図１０（Ｃ）に示す。像面湾曲およびF-tan(theta)distortionは、６５６ｎｍ、５８８ｎｍ、５４６ｎｍ、４８６ｎｍ、４３６ｎｍの波長の光それぞれについて示す。実施例３の撮像レンズ１１０では、周辺光量比は、周辺部で８８％であり、周辺部まで明るいことがわかる。ＭＴＦの値は、中心で０．７以上、周辺部で０．５以上であり、優れた解像度を有することがわかる。撮像レンズ１１０の像面湾曲は、−０．０４〜０．０６ｍｍの間に分布しており、良好である。F-tan(theta)distortionは、０〜０．５％の間に分布しており、F-theta distortionは、０〜２％の間に分布しており、良好である。
【００５５】
（実施例４）
実施例４の撮像レンズ１１０は、第３レンズ素子３０の面３１と面３２との光軸Ｌ上の距離Ｄ１＝５．３６（ｍｍ）であり、第５レンズ素子５０の面５１と面５２との光軸Ｌ上の距離Ｄ２＝４．０７（ｍｍ）である。Ｄ１／ｆは、０．４１０４７９であり、Ｄ２／ｆは、０．３１１６８である。
【００５６】
物体距離：∞
レンズ全系の焦点距離ｆ：１３．０５７９（ｍｍ）
Ｆ値：２．１２１０７
半画角：１２．４８°
像高：３．３０４５（ｍｍ）
バックフォーカス：２．０１９６５（ｍｍ）
第１レンズ素子１０の面１１から撮像素子１２０の撮像面までの光軸Ｌ上における距離ＴＬ：１７．８９９７（ｍｍ）
【００５７】
第１レンズ素子１０のパワー値＝０．１１９２７、第１レンズ素子１０の屈折率ｎｄ１＝１．８０３９９９、アッベ数ｖｄ１＝４６．５８、面１１の曲率半径Ｒ１１＝６．７４１（ｍｍ）、面１２の曲率半径Ｒ１２＝１５．９６４（ｍｍ）、直径＝９．４（ｍｍ）、面１１と面１２との光軸Ｌ上の距離Ｄ３＝２．７５（ｍｍ）
【００５８】
第２レンズ素子２０のパワー値＝−０．０２０１３、第２レンズ素子２０の屈折率ｎｄ２＝１．８４６６６３、アッベ数ｖｄ２＝２３．７８、面２１の曲率半径Ｒ２１＝−４２．０５６（ｍｍ）、面２２の曲率半径Ｒ２２＝２１．１５７（ｍｍ）、直径＝８．４（ｍｍ）、面１２と面２１との光軸Ｌ上の距離Ｄ４＝０．５５（ｍｍ）、面２１と面２２との光軸Ｌ上の距離Ｄ５＝０．６８（ｍｍ）
【００５９】
絞り７０の開口部７１の直径Ｒ７１＝４．６０４（ｍｍ）、面２２と絞り７０との光軸Ｌ上の距離Ｄ６＝０．９８（ｍｍ）
【００６０】
第３レンズ素子３０のパワー値＝０．０９９６１、第３レンズ素子３０の屈折率ｎｄ３＝１．９５３７４７、アッベ数ｖｄ３＝３２．３２、面３１の曲率半径Ｒ３１＝９．５７５（ｍｍ）、面３２の曲率半径Ｒ３２＝−５．２５２（ｍｍ）、直径＝５．６（ｍｍ）、絞り７０と面３１との光軸Ｌ上の距離Ｄ７＝０．０１（ｍｍ）
【００６１】
第４レンズ素子４０のパワー値＝０．００５８８１、第４レンズ素子４０の屈折率ｎｄ４＝１．９２２８６、アッベ数ｖｄ４＝２０．８８、面４１の曲率半径Ｒ４１＝−５．２５２（ｍｍ）、面４２の曲率半径Ｒ４２＝−２１．６（ｍｍ）、直径＝８．０（ｍｍ）、面４１と面４２との光軸Ｌ上の距離Ｄ８＝０．５（ｍｍ）
【００６２】
第５レンズ素子５０のパワー値＝−０．２０８５４、第５レンズ素子５０の屈折率ｎｄ５＝１．８４６６６３、アッベ数ｖｄ５＝２３．７８、面５１の曲率半径Ｒ５１＝−４．０６（ｍｍ）、面５２の曲率半径Ｒ５２＝−１０．１９２（ｍｍ）、直径＝９．６（ｍｍ）、面４２と面５１との光軸Ｌ上の距離Ｄ９＝０．８９（ｍｍ）
【００６３】
ガラスフィルタ６０の屈折率ｎｄ６＝１．５１６７９８、アッベ数ｖｄ６＝６４．２、面６１の曲率半径Ｒ６１＝∞、面６２の曲率半径Ｒ６２＝∞、面５２と面６１との光軸Ｌ上の距離Ｄ１０＝１．５７４６５（ｍｍ）、面６１と面６２との光軸Ｌ上の距離Ｄ１１＝０．４（ｍｍ）、面６２と撮像素子１２０の撮像面との光軸Ｌ上の距離＝０．０４５（ｍｍ）
【００６４】
実施例４の撮像レンズ１１０における周辺光量比を図１１に示す。８３．００ｃｙｃ／ｍｍにおける撮像レンズ１１０のＭＴＦを図１２に示す。撮像レンズ１１０の像面湾曲を図１３（Ａ）、F-tan(theta)distortionを図１３（Ｂ）、F-theta distortionを図１３（Ｃ）に示す。像面湾曲およびF-tan(theta)distortionは、６５６ｎｍ、５８８ｎｍ、５４６ｎｍ、４８６ｎｍ、４３６ｎｍの波長の光それぞれについて示す。実施例４の撮像レンズ１１０では、周辺光量比は、周辺部で８８％であり、周辺部まで明るいことがわかる。ＭＴＦの値は、中心で０．７以上、周辺部で０．５以上であり、優れた解像度を有することがわかる。撮像レンズ１１０の像面湾曲は、−０．０４〜０．０６ｍｍの間に分布しており、良好である。F-tan(theta)distortionは、−０．２〜０．４％の間に分布しており、F-theta distortionは、０〜２％の間に分布しており、良好である。
【００６５】
（実施例５）
実施例５の撮像レンズ１１０は、第３レンズ素子３０の面３１と面３２との光軸Ｌ上の距離Ｄ１＝３．８５（ｍｍ）であり、第５レンズ素子５０の面５１と面５２との光軸Ｌ上の距離Ｄ２＝４．０８（ｍｍ）である。Ｄ１／ｆは、０．２９４０であり、Ｄ２／ｆは、０．３１１５９である。
【００６６】
物体距離：∞
レンズ全系の焦点距離ｆ：１３．０９４１（ｍｍ）
Ｆ値：２．１２６９
半画角：１２．４８°
像高：３．３０４５（ｍｍ）
バックフォーカス：２．６０９９６（ｍｍ）
第１レンズ素子１０の面１１から撮像素子１２０の撮像面までの光軸Ｌ上における距離ＴＬ：１７．７７（ｍｍ）
【００６７】
第１レンズ素子１０のパワー値＝０．１２７３４、第１レンズ素子１０の屈折率ｎｄ１＝１．８０３９９９、アッベ数ｖｄ１＝４６．５８、面１１の曲率半径Ｒ１１＝６．３１４（ｍｍ）、面１２の曲率半径Ｒ１２＝１３．１５６（ｍｍ）、直径＝９．４（ｍｍ）、面１１と面１２との光軸Ｌ上の距離Ｄ３＝２．７７（ｍｍ）
【００６８】
第２レンズ素子２０のパワー値＝−０．０２１８６、第２レンズ素子２０の屈折率ｎｄ２＝１．８４６６６３、アッベ数ｖｄ２＝２３．７８、面２１の曲率半径Ｒ２１＝−３８．７３５（ｍｍ）、面２２の曲率半径Ｒ２２＝２１．０３３（ｍｍ）、直径＝８．４（ｍｍ）、面１２と面２１との光軸Ｌ上の距離Ｄ４＝０．５９（ｍｍ）、面２１と面２２との光軸Ｌ上の距離Ｄ５＝１．４９（ｍｍ）
【００６９】
絞り７０の開口部７１の直径Ｒ７１＝４．４７２（ｍｍ）、面２２と絞り７０との光軸Ｌ上の距離Ｄ６＝０．３６（ｍｍ）
【００７０】
第３レンズ素子３０のパワー値＝０．１０６０８、第３レンズ素子３０の屈折率ｎｄ３＝１．９５３７４７、アッベ数ｖｄ３＝３２．３２、面３１の曲率半径Ｒ３１＝８．９９１（ｍｍ）、面３２の曲率半径Ｒ３２＝−５．８８９（ｍｍ）、直径＝５．６（ｍｍ）、絞り７０と面３１との光軸Ｌ上の距離Ｄ７＝０．６７（ｍｍ）
【００７１】
第４レンズ素子４０のパワー値＝０．００５２４５、第４レンズ素子４０の屈折率ｎｄ４＝１．９２２８６、アッベ数ｖｄ４＝２０．８８、面４１の曲率半径Ｒ４１＝−５．８８９（ｍｍ）、面４２の曲率半径Ｒ４２＝−１９．２８７（ｍｍ）、直径＝８．０（ｍｍ）、面４１と面４２との光軸Ｌ上の距離Ｄ８＝０．５（ｍｍ）
【００７２】
第５レンズ素子５０のパワー値＝−０．１９６４９、第５レンズ素子５０の屈折率ｎｄ５＝１．８４６６６３、アッベ数ｖｄ５＝２３．７８、面５１の曲率半径Ｒ５１＝−４．３０９（ｍｍ）、面５２の曲率半径Ｒ５２＝−１２．１９１（ｍｍ）、直径＝９．６（ｍｍ）、面４２と面５１との光軸Ｌ上の距離Ｄ９＝０．８５（ｍｍ）
【００７３】
ガラスフィルタ６０の屈折率ｎｄ６＝１．５１６７９８、アッベ数ｖｄ６＝６４．２、面６１の曲率半径Ｒ６１＝∞、面６２の曲率半径Ｒ６２＝∞、面５２と面６１との光軸Ｌ上の距離Ｄ１０＝２．１６４９６（ｍｍ）、面６１と面６２との光軸Ｌ上の距離Ｄ１１＝０．４（ｍｍ）、面６２と撮像素子１２０の撮像面との光軸Ｌ上の距離＝０．０４５（ｍｍ）
【００７４】
実施例５の撮像レンズ１１０における周辺光量比を図１４に示す。８３．００ｃｙｃ／ｍｍにおける撮像レンズ１１０のＭＴＦを図１５に示す。撮像レンズ１１０の像面湾曲を図１６（Ａ）、F-tan(theta)distortionを図１６（Ｂ）、F-theta distortionを図１６（Ｃ）に示す。像面湾曲は、６５６ｎｍ、５８８ｎｍ、５４６ｎｍ、４８６ｎｍ、４３６ｎｍの波長の光それぞれについて示す。実施例５の撮像レンズ１１０では、周辺光量比は、周辺部で８８％であり、周辺部まで明るいことがわかる。ＭＴＦの値は、中心で０．６５以上、周辺部で０．４５以上であり、良好な解像度を有することがわかる。撮像レンズ１１０の像面湾曲は、−０．０４〜０．０７ｍｍの間に分布しており、良好である。F-tan(theta)distortionは、−０．４〜０％の間に分布しており、F-theta distortionは、０〜２％の間に分布しており、良好である。
【００７５】
（実施例６）
実施例６の撮像レンズ１１０は、第３レンズ素子３０の面３１と面３２との光軸Ｌ上の距離Ｄ１＝６．８（ｍｍ）であり、第５レンズ素子５０の面５１と面５２との光軸Ｌ上の距離Ｄ２＝４．０８（ｍｍ）である。Ｄ１／ｆは、０．５２３４であり、Ｄ２／ｆは、０．３１４０である。
【００７６】
物体距離：∞
レンズ全系の焦点距離ｆ：１２．９９０６（ｍｍ）
Ｆ値：２．１２６８
半画角：１２．４９°
像高：３．３０４５（ｍｍ）
バックフォーカス：１．９５９７６（ｍｍ）
第１レンズ素子１０の面１１から撮像素子１２０の撮像面までの光軸Ｌ上における距離ＴＬ：１８．０５９８（ｍｍ）
【００７７】
第１レンズ素子１０のパワー値＝０．１１６５６、第１レンズ素子１０の屈折率ｎｄ１＝１．８０３９９９、アッベ数ｖｄ１＝４６．５８、面１１の曲率半径Ｒ１１＝６．８９８（ｍｍ）、面１２の曲率半径Ｒ１２＝１８．６４（ｍｍ）、直径＝９．４（ｍｍ）、面１１と面１２との光軸Ｌ上の距離Ｄ３＝２．５１（ｍｍ）
【００７８】
第２レンズ素子２０のパワー値＝−０．０２０５５、第２レンズ素子２０の屈折率ｎｄ２＝１．８４６６６３、アッベ数ｖｄ２＝２３．７８、面２１の曲率半径Ｒ２１＝−４１．２１（ｍｍ）、面２２の曲率半径Ｒ２２＝３３．２２６（ｍｍ）、直径＝８．４（ｍｍ）、面１２と面２１との光軸Ｌ上の距離Ｄ４＝０．３８（ｍｍ）、面２１と面２２との光軸Ｌ上の距離Ｄ５＝０．７（ｍｍ）
【００７９】
絞り７０の開口部７１の直径Ｒ７１＝４．９０８（ｍｍ）、面２２と絞り７０との光軸Ｌ上の距離Ｄ６＝０．２８（ｍｍ）
【００８０】
第３レンズ素子３０のパワー値＝０．０７２８５、第３レンズ素子３０の屈折率ｎｄ３＝１．９５３７４７、アッベ数ｖｄ３＝３２．３２、面３１の曲率半径Ｒ３１＝１３．０９２（ｍｍ）、面３２の曲率半径Ｒ３２＝−４．７５４（ｍｍ）、直径＝５．６（ｍｍ）、絞り７０と面３１との光軸Ｌ上の距離Ｄ７＝０．０４（ｍｍ）
【００８１】
第４レンズ素子４０のパワー値＝０．００６４９７、第４レンズ素子４０の屈折率ｎｄ４＝１．９２２８６、アッベ数ｖｄ４＝２０．８８、面４１の曲率半径Ｒ４１＝−４．７５４（ｍｍ）、面４２の曲率半径Ｒ４２＝−１４．８６９（ｍｍ）、直径＝８．０（ｍｍ）、面４１と面４２との光軸Ｌ上の距離Ｄ８＝０．５（ｍｍ）
【００８２】
第５レンズ素子５０のパワー値＝−０．２０５５５、第５レンズ素子５０の屈折率ｎｄ５＝１．８４６６６３、アッベ数ｖｄ５＝２３．７８、面５１の曲率半径Ｒ５１＝−４．１１９（ｍｍ）、面５２の曲率半径Ｒ５２＝−１２．３７８（ｍｍ）、直径＝９．６（ｍｍ）、面４２と面５１との光軸Ｌ上の距離Ｄ９＝０．８１（ｍｍ）
【００８３】
ガラスフィルタ６０の屈折率ｎｄ６＝１．５１６７９８、アッベ数ｖｄ６＝６４．２、面６１の曲率半径Ｒ６１＝∞、面６２の曲率半径Ｒ６２＝∞、面５２と面６１との光軸Ｌ上の距離Ｄ１０＝１．５１４７６（ｍｍ）、面６１と面６２との光軸Ｌ上の距離Ｄ１１＝０．４（ｍｍ）、面６２と撮像素子１２０の撮像面との光軸Ｌ上の距離＝０．０４５（ｍｍ）
【００８４】
実施例６の撮像レンズ１１０における周辺光量比を図１７に示す。８３．００ｃｙｃ／ｍｍにおける撮像レンズ１１０のＭＴＦを図１８に示す。撮像レンズ１１０の像面湾曲を図１９（Ａ）、F-tan(theta)distortionを図１９（Ｂ）、F-theta distortionを図１９（Ｃ）に示す。像面湾曲は、６５６ｎｍ、５８８ｎｍ、５４６ｎｍ、４８６ｎｍ、４３６ｎｍの波長の光それぞれについて示す。実施例６の撮像レンズ１１０では、周辺光量比は、周辺部で８８％であり、周辺部まで明るいことがわかる。ＭＴＦの値は、中心で０．６５以上、周辺部で０．５以上であり、良好な解像度を有することがわかる。撮像レンズ１１０の像面湾曲は、−０．４〜０．０６ｍｍの間に分布しており、良好である。F-tan(theta)distortionは０〜０．７％の間に分布しており、F-theta distortionは、０〜３％の間に分布しており、良好である。
【００８５】
（実施例７）
実施例７の撮像レンズ１１０は、第３レンズ素子３０の面３１と面３２との光軸Ｌ上の距離Ｄ１＝５．３６（ｍｍ）であり、第５レンズ素子５０の面５１と面５２との光軸Ｌ上の距離Ｄ２＝２．３（ｍｍ）である。Ｄ１／ｆは、０．４０９８であり、Ｄ２／ｆは、０．１７５８である。
【００８６】
物体距離：∞
レンズ全系の焦点距離ｆ：１３．０７８６（ｍｍ）
Ｆ値：２．１１４４
半画角：１２．４９°
像高：３．３０４５（ｍｍ）
バックフォーカス：３．５１０２７（ｍｍ）
第１レンズ素子１０の面１１から撮像素子１２０の撮像面までの光軸Ｌ上における距離ＴＬ：１７．５９２１（ｍｍ）
【００８７】
第１レンズ素子１０のパワー値＝０．１２３４１、第１レンズ素子１０の屈折率ｎｄ１＝１．８０３９９９、アッベ数ｖｄ１＝４６．５８、面１１の曲率半径Ｒ１１＝６．５１５（ｍｍ）、面１２の曲率半径Ｒ１２＝１４．８４３（ｍｍ）、直径＝９．４（ｍｍ）、面１１と面１２との光軸Ｌ上の距離Ｄ３＝２．７６（ｍｍ）
【００８８】
第２レンズ素子２０のパワー値＝−０．０１９０２、第２レンズ素子２０の屈折率ｎｄ２＝１．８４６６６３、アッベ数ｖｄ２＝２３．７８、面２１の曲率半径Ｒ２１＝−４４．５１５（ｍｍ）、面２２の曲率半径Ｒ２２＝１３．２５４（ｍｍ）、直径＝８．４（ｍｍ）、面１２と面２１との光軸Ｌ上の距離Ｄ４＝０．５３（ｍｍ）、面２１と面２２との光軸Ｌ上の距離Ｄ５＝０．５６（ｍｍ）
【００８９】
絞り７０の開口部７１の直径Ｒ７１＝４．６９９（ｍｍ）、面２２と絞り７０との光軸Ｌ上の距離Ｄ６＝０．９７（ｍｍ）
【００９０】
第３レンズ素子３０のパワー値＝０．１０９５１、第３レンズ素子３０の屈折率ｎｄ３＝１．９５３７４７、アッベ数ｖｄ３＝３２．３２、面３１の曲率半径Ｒ３１＝８．７０９（ｍｍ）、面３２の曲率半径Ｒ３２＝−６．４９（ｍｍ）、直径＝５．６（ｍｍ）、絞り７０と面３１との光軸Ｌ上の距離Ｄ７＝０．１（ｍｍ）
【００９１】
第４レンズ素子４０のパワー値＝０．００４７５９、第４レンズ素子４０の屈折率ｎｄ４＝１．９２２８６、アッベ数ｖｄ４＝２０．８８、面４１の曲率半径Ｒ４１＝−６．４９（ｍｍ）、面４２の曲率半径Ｒ４２＝−２２．５２１（ｍｍ）、直径＝８．０（ｍｍ）、面４１と面４２との光軸Ｌ上の距離Ｄ８＝０．５（ｍｍ）
【００９２】
第５レンズ素子５０のパワー値＝−０．２１３９７、第５レンズ素子５０の屈折率ｎｄ５＝１．８４６６６３、アッベ数ｖｄ５＝２３．７８、面５１の曲率半径Ｒ５１＝−３．９５７（ｍｍ）、面５２の曲率半径Ｒ５２＝−７．８８７（ｍｍ）、直径＝９．６（ｍｍ）、面４２と面５１との光軸Ｌ上の距離Ｄ９＝１（ｍｍ）
【００９３】
ガラスフィルタ６０の屈折率ｎｄ６＝１．５１６７９８、アッベ数ｖｄ６＝６４．２、面６１の曲率半径Ｒ６１＝∞、面６２の曲率半径Ｒ６２＝∞、面５２と面６１との光軸Ｌ上の距離Ｄ１０＝３．０６７０７（ｍｍ）、面６１と面６２との光軸Ｌ上の距離Ｄ１１＝０．４（ｍｍ）、面６２と撮像素子１２０の撮像面との光軸Ｌ上の距離＝０．０４５（ｍｍ）
【００９４】
実施例７の撮像レンズ１１０における周辺光量比を図２０に示す。８３．００ｃｙｃ／ｍｍにおける撮像レンズ１１０のＭＴＦを図２１に示す。撮像レンズ１１０の像面湾曲を図２２（Ａ）、F-tan(theta)distortionを図２２（Ｂ）、F-theta distortionを図２２（Ｃ）に示す。像面湾曲は、６５６ｎｍ、５８８ｎｍ、５４６ｎｍ、４８６ｎｍ、４３６ｎｍの波長の光それぞれについて示す。実施例７の撮像レンズ１１０では、周辺光量比は、周辺部で８７％であり、周辺部まで明るいことがわかる。ＭＴＦの値は、中心で０．６５以上、周辺部で０．４５以上であり、良好な解像度を有することがわかる。撮像レンズ１１０の像面湾曲は、−０．３〜０．０７ｍｍの間に分布しており、良好である。F-tan(theta)distortionは−０．２〜０％の間に分布しており、F-theta distortionは、０〜２％の間に分布しており、良好である。
【００９５】
（実施例８）
実施例８の撮像レンズ１１０は、第３レンズ素子３０の面３１と面３２との光軸Ｌ上の距離Ｄ１＝５．３６（ｍｍ）であり、第５レンズ素子５０の面５１と面５２との光軸Ｌ上の距離Ｄ２＝４．６（ｍｍ）である。Ｄ１／ｆは、０．４１１６であり、Ｄ２／ｆは、０．３５３２である。
【００９６】
物体距離：∞
レンズ全系の焦点距離ｆ：１３．０２１８（ｍｍ）
Ｆ値：２．１３５７
半画角：１２．４９°
像高：３．３０４５（ｍｍ）
バックフォーカス：１．９９６５５（ｍｍ）
第１レンズ素子１０の面１１から撮像素子１２０の撮像面までの光軸Ｌ上における距離ＴＬ：１７．７６６５（ｍｍ）
【００９７】
第１レンズ素子１０のパワー値＝０．１２３３９、第１レンズ素子１０の屈折率ｎｄ１＝１．８０３９９９、アッベ数ｖｄ１＝４６．５８、面１１の曲率半径Ｒ１１＝６．５１６（ｍｍ）、面１２の曲率半径Ｒ１２＝１５．４３（ｍｍ）、直径＝９．４（ｍｍ）、面１１と面１２との光軸Ｌ上の距離Ｄ３＝２．６９（ｍｍ）
【００９８】
第２レンズ素子２０のパワー値＝−０．０２５１３、第２レンズ素子２０の屈折率ｎｄ２＝１．８４６６６３、アッベ数ｖｄ２＝２３．７８、面２１の曲率半径Ｒ２１＝−３３．６８６（ｍｍ）、面２２の曲率半径Ｒ２２＝３７．７５２（ｍｍ）、直径＝８．４（ｍｍ）、面１２と面２１との光軸Ｌ上の距離Ｄ４＝０．５４（ｍｍ）、面２１と面２２との光軸Ｌ上の距離Ｄ５＝０．７６（ｍｍ）
【００９９】
絞り７０の開口部７１の直径Ｒ７１＝４．６４３（ｍｍ）、面２２と絞り７０との光軸Ｌ上の距離Ｄ６＝０．４４（ｍｍ）
【０１００】
第３レンズ素子３０のパワー値＝０．０７９２１、第３レンズ素子３０の屈折率ｎｄ３＝１．９５３７４７、アッベ数ｖｄ３＝３２．３２、面３１の曲率半径Ｒ３１＝１２．０４１（ｍｍ）、面３２の曲率半径Ｒ３２＝−４．８８２（ｍｍ）、直径＝５．６（ｍｍ）、絞り７０と面３１との光軸Ｌ上の距離Ｄ７＝０．０９（ｍｍ）
【０１０１】
第４レンズ素子４０のパワー値＝０．００６３２７、第４レンズ素子４０の屈折率ｎｄ４＝１．９２２８６、アッベ数ｖｄ４＝２０．８８、面４１の曲率半径Ｒ４１＝−４．８８２（ｍｍ）、面４２の曲率半径Ｒ４２＝−１４．４２８（ｍｍ）、直径＝８．０（ｍｍ）、面４１と面４２との光軸Ｌ上の距離Ｄ８＝０．５（ｍｍ）
【０１０２】
第５レンズ素子５０のパワー値＝−０．２０６３５、第５レンズ素子５０の屈折率ｎｄ５＝１．８４６６６３、アッベ数ｖｄ５＝２３．７８、面５１の曲率半径Ｒ５１＝−４．１０３（ｍｍ）、面５２の曲率半径Ｒ５２＝−１２．５３７（ｍｍ）、直径＝９．６（ｍｍ）、面４２と面５１との光軸Ｌ上の距離Ｄ９＝０．７９（ｍｍ）
【０１０３】
ガラスフィルタ６０の屈折率ｎｄ６＝１．５１６７９８、アッベ数ｖｄ６＝６４．２、面６１の曲率半径Ｒ６１＝∞、面６２の曲率半径Ｒ６２＝∞、面５２と面６１との光軸Ｌ上の距離Ｄ１０＝１．５５１５５（ｍｍ）、面６１と面６２との光軸Ｌ上の距離Ｄ１１＝０．４（ｍｍ）、面６２と撮像素子１２０の撮像面との光軸Ｌ上の距離＝０．０４５（ｍｍ）
【０１０４】
実施例８の撮像レンズ１１０における周辺光量比を図２３に示す。８３．００ｃｙｃ／ｍｍにおける撮像レンズ１１０のＭＴＦを図２４に示す。撮像レンズ１１０の像面湾曲を図２５（Ａ）、F-tan(theta)distortionを図２５（Ｂ）、F-theta distortionを図２５（Ｃ）に示す。像面湾曲は、６５６ｎｍ、５８８ｎｍ、５４６ｎｍ、４８６ｎｍ、４３６ｎｍの波長の光それぞれについて示す。実施例８の撮像レンズ１１０では、周辺光量比は、周辺部で８７％であり、周辺部まで明るいことがわかる。ＭＴＦの値は、中心で０．７以上、周辺部で０．４５以上であり、良好な解像度を有することがわかる。撮像レンズ１１０の像面湾曲は、−０．４〜０．６ｍｍの間に分布しており、良好である。F-tan(theta)distortionは０〜０．４％の間に分布しており、F-theta distortionは、０〜２．５％の間に分布しており、良好である。
【０１０５】
実施例１〜４では、Ｄ１／ｆが０．３７５以上０．４１４以下であり、Ｄ２／ｆが０．３１１以上０．３１３以下であることで、ＭＴＦの値は、中心で０．７以上、周辺部で０．５以上である。実施例５〜８では、Ｄ１／ｆが０．２９４以上０．５２４以下であり、Ｄ２／ｆが０．１７以上０．３５４以下であることで、ＭＴＦの値は、中心で０．６５以上、周辺部で０．４５以上である。Ｄ１／ｆ、Ｄ２／ｆが上記値を満たすことで、中心部および周辺部の解像度が優れるまたは良好であることがわかる。これは、Ｄ１／ｆ、Ｄ２／ｆが上記値を満たすことで、面３２と面３２および面５１と面５２の曲率半径を大きくすることができるためであると考えられる。実施例１〜８では、周辺光量比は、周辺部で８７％以上であり、周辺部まで明るいことがわかる。像面湾曲、F-tan(theta)distortion、F-theta distortionの結果についても良好である。また、第１〜第５レンズ素子１０〜５０は、ガラスから構成されるので、樹脂から構成されるレンズを用いる場合に比べて、温度変化によるピントのずれが少ない。第１〜第５レンズ素子１０〜５０を構成する面は、球面として形成されるので容易に作成できる。外界に接する第１レンズ素子１０には、硬さおよび耐水性の高いガラスを用いているので、カメラ１００を車外に取り付けてもレンズに傷がつきにくく、画質の劣化を防ぐことができる。
【０１０６】
つぎに、Ｄ１／ｆが、０．２９４未満である比較例１と、Ｄ２／ｆが、０．１７未満である比較例２と、について説明する。比較例１および２に係る撮像レンズ１１０’は、図２６に示すように、第１〜第５レンズ素子１０’〜５０’を備える。撮像レンズ１１０’の具体的な数値を以下に示す。
【０１０７】
（比較例１）
比較例１の撮像レンズ１１０’は、第３レンズ素子３０’の面３１’と面３２’との光軸Ｌ上の距離Ｄ１’＝３．８（ｍｍ）であり、第５レンズ素子５０’の面５１’と面５２’との光軸Ｌ上の距離Ｄ２’＝４．０８（ｍｍ）である。Ｄ１’／ｆ’は、０．２８９８であり、Ｄ２’／ｆ’は、０．３１１２である。
【０１０８】
物体距離：∞
レンズ全系の焦点距離ｆ’：１３．１１０１（ｍｍ）
Ｆ値：２．１２９１
半画角：１２．４８°
像高：３．３０４５（ｍｍ）
バックフォーカス：２．６７１２８（ｍｍ）
第１レンズ素子１０’の面１１’から撮像素子１２０の撮像面までの光軸Ｌ上における距離ＴＬ’：１７．７９（ｍｍ）
【０１０９】
第１レンズ素子１０’のパワー値＝０．１２７６８、第１レンズ素子１０’の屈折率ｎｄ１＝１．８０３９９９、アッベ数ｖｄ１＝４６．５８、面１１’の曲率半径Ｒ１１’＝６．２９７（ｍｍ）、面１２’の曲率半径Ｒ１２’＝１２．９５（ｍｍ）、直径＝９．４（ｍｍ）、面１１’と面１２’との光軸Ｌ上の距離Ｄ３’＝２．７７（ｍｍ）
【０１１０】
第２レンズ素子２０’のパワー値＝−０．０２２１６、第２レンズ素子２０’の屈折率ｎｄ２＝１．８４６６６３、アッベ数ｖｄ２＝２３．７８、面２１’の曲率半径Ｒ２１’＝−３８．２０７（ｍｍ）、面２２’の曲率半径Ｒ２２’＝２１．０９６（ｍｍ）、直径＝８．４（ｍｍ）、面１２’と面２１’との光軸Ｌ上の距離Ｄ４’＝０．６（ｍｍ）、面２１’と面２２’との光軸Ｌ上の距離Ｄ５’＝１．５１（ｍｍ）
【０１１１】
絞り７０の開口部７１の直径Ｒ７１＝４．４７１（ｍｍ）、面２２’と絞り７０との光軸Ｌ上の距離Ｄ６’＝０．３６（ｍｍ）
【０１１２】
第３レンズ素子３０’のパワー値＝０．１０６７９、第３レンズ素子３０’の屈折率ｎｄ３＝１．９５３７４７、アッベ数ｖｄ３＝３２．３２、面３１’の曲率半径Ｒ３１’＝８．９３１（ｍｍ）、面３２’の曲率半径Ｒ３２’＝−５．９０２（ｍｍ）、直径＝５．６（ｍｍ）、絞り７０と面３１’との光軸Ｌ上の距離Ｄ７’＝０．６６（ｍｍ）
【０１１３】
第４レンズ素子４０’のパワー値＝０．００５２３３４、第４レンズ素子４０’の屈折率ｎｄ４＝１．９２２８６、アッベ数ｖｄ４＝２０．８８、面４１’の曲率半径Ｒ４１’＝−５．９０２（ｍｍ）、面４２’の曲率半径Ｒ４２’＝−１９．１６７（ｍｍ）、直径＝８．０（ｍｍ）、面４１’と面４２’との光軸Ｌ上の距離Ｄ８’＝０．５（ｍｍ）
【０１１４】
第５レンズ素子５０’のパワー値＝−０．１９５９９、第５レンズ素子５０’の屈折率ｎｄ５＝１．８４６６６３、アッベ数ｖｄ５＝２３．７８、面５１’の曲率半径Ｒ５１’＝−４．３２（ｍｍ）、面５２’の曲率半径Ｒ５２’＝−１２．２６３（ｍｍ）、直径＝９．６（ｍｍ）、面４２’と面５１’との光軸Ｌ上の距離Ｄ９’＝０．８４（ｍｍ）
【０１１５】
ガラスフィルタ６０の屈折率ｎｄ６＝１．５１６７９８、アッベ数ｖｄ６＝６４．２、面６１の曲率半径Ｒ６１＝∞、面６２の曲率半径Ｒ６２＝∞、面５２’と面６１との光軸Ｌ上の距離Ｄ１０’＝２．２２６２８（ｍｍ）、面６１と面６２との光軸Ｌ上の距離Ｄ１１＝０．４（ｍｍ）、面６２と撮像素子１２０の撮像面との光軸Ｌ上の距離＝０．０４５（ｍｍ）
【０１１６】
比較例１の撮像レンズ１１０’における周辺光量比を図２７に示す。８３．００ｃｙｃ／ｍｍにおける撮像レンズ１１０’のＭＴＦを図２８に示す。撮像レンズ１１０’の像面湾曲を図２９（Ａ）、F-tan(theta)distortionを図２９（Ｂ）、F-theta distortionを図２９（Ｃ）に示す。像面湾曲は、６５６ｎｍ、５８８ｎｍ、５４６ｎｍ、４８６ｎｍ、４３６ｎｍの波長の光それぞれについて示す。比較例１の撮像レンズ１１０’では、周辺光量比は、周辺部で８８％である。ＭＴＦの値は、中心で０．７以上であり、周辺部で０．４５未満であり、解像度が不良であることがわかる。撮像レンズ１１０’の像面湾曲は、−０．４〜０．７ｍｍの間に分布している。F-tan(theta)distortionは−０．５〜０％の間に分布しており、F-theta distortionは、０〜４％の間に分布している。
【０１１７】
（比較例２）
比較例２の撮像レンズ１１０’は、第３レンズ素子３０’の面３１’と面３２’との光軸Ｌ上の距離Ｄ１’＝５．３６（ｍｍ）であり、第５レンズ素子５０’の面５１’と面５２’との光軸Ｌ上の距離Ｄ２’＝２．２（ｍｍ）である。Ｄ１’／ｆ’は、０．４０９９であり、Ｄ２’／ｆ’は、０．１６８２である。
【０１１８】
物体距離：∞
レンズ全系の焦点距離ｆ’：１３．０７４３（ｍｍ）
Ｆ値：２．１１３３
半画角：１２．４９°
像高：３．３０４５（ｍｍ）
バックフォーカス：３．５９０９７（ｍｍ）
第１レンズ素子１０’の面１１’から撮像素子１２０の撮像面までの光軸Ｌ上における距離ＴＬ’：１７．５６１（ｍｍ）
【０１１９】
第１レンズ素子１０’のパワー値＝０．１２３７３、第１レンズ素子１０’の屈折率ｎｄ１＝１．８０３９９９、アッベ数ｖｄ１＝４６．５８、面１１’の曲率半径Ｒ１１’＝６．４９８（ｍｍ）、面１２’の曲率半径Ｒ１２’＝１４．７４９（ｍｍ）、直径＝９．４（ｍｍ）、面１１’と面１２’との光軸Ｌ上の距離Ｄ３’＝２．７６（ｍｍ）
【０１２０】
第２レンズ素子２０’のパワー値＝−０．０１９１４、第２レンズ素子２０’の屈折率ｎｄ２＝１．８４６６６３、アッベ数ｖｄ２＝２３．７８、面２１’の曲率半径Ｒ２１’＝−４４．２４３（ｍｍ）、面２２’の曲率半径Ｒ２２’＝１２．９４３（ｍｍ）、直径＝８．４（ｍｍ）、面１２’と面２１’との光軸Ｌ上の距離Ｄ４’＝０．５３（ｍｍ）、面２１’と面２２’との光軸Ｌ上の距離Ｄ５’＝０．５５（ｍｍ）
【０１２１】
絞り７０の開口部７１の直径Ｒ７１＝４．７０４（ｍｍ）、面２２’と絞り７０との光軸Ｌ上の距離Ｄ６’＝０．９７（ｍｍ）
【０１２２】
第３レンズ素子３０’のパワー値＝０．１１００９、第３レンズ素子３０’の屈折率ｎｄ３＝１．９５３７４７、アッベ数ｖｄ３＝３２．３２、面３１’の曲率半径Ｒ３１’＝８．６６３（ｍｍ）、面３２’の曲率半径Ｒ３２’＝−６．５８５（ｍｍ）、直径＝５．６（ｍｍ）、絞り７０と面３１’との光軸Ｌ上の距離Ｄ７’＝０．０９（ｍｍ）
【０１２３】
第４レンズ素子４０’のパワー値＝０．００４６９１、第４レンズ素子４０’の屈折率ｎｄ４＝１．９２２８６、アッベ数ｖｄ４＝２０．８８、面４１’の曲率半径Ｒ４１’＝−６．５８５（ｍｍ）、面４２’の曲率半径Ｒ４２’＝−２２．５４７（ｍｍ）、直径＝８．０（ｍｍ）、面４１’と面４２’との光軸Ｌ上の距離Ｄ８’＝０．５（ｍｍ）
【０１２４】
第５レンズ素子５０’のパワー値＝−０．２１４３５、第５レンズ素子５０’の屈折率ｎｄ５＝１．８４６６６３、アッベ数ｖｄ５＝２３．７８、面５１’の曲率半径Ｒ５１’＝−３．９５（ｍｍ）、面５２’の曲率半径Ｒ５２’＝−７．７６（ｍｍ）、直径＝９．６（ｍｍ）、面４２’と面５１’との光軸Ｌ上の距離Ｄ９’＝１．０１（ｍｍ）
【０１２５】
ガラスフィルタ６０の屈折率ｎｄ６＝１．５１６７９８、アッベ数ｖｄ６＝６４．２、面６１の曲率半径Ｒ６１＝∞、面６２の曲率半径Ｒ６２＝∞、面５２’と面６１との光軸Ｌ上の距離Ｄ１０’＝３．１４５９７（ｍｍ）、面６１と面６２との光軸Ｌ上の距離Ｄ１１＝０．４（ｍｍ）、面６２と撮像素子１２０の撮像面との光軸Ｌ上の距離＝０．０４５（ｍｍ）
【０１２６】
比較例２の撮像レンズ１１０における周辺光量比を図３０に示す。８３．００ｃｙｃ／ｍｍにおける撮像レンズ１１０のＭＴＦを図３１に示す。撮像レンズ１１０の像面湾曲を図３２（Ａ）、F-tan(theta)distortionを図３２（Ｂ）、F-theta distortionを図３２（Ｃ）に示す。像面湾曲は、６５６ｎｍ、５８８ｎｍ、５４６ｎｍ、４８６ｎｍ、４３６ｎｍの波長の光それぞれについて示す。比較例２の撮像レンズ１１０では、周辺光量比は、周辺部で８７％である。ＭＴＦの値は、中心で０．７未満、周辺部で０．４５未満であり、解像度が不良であることがわかる。撮像レンズ１１０の像面湾曲は、−０．３〜０．８ｍｍの間に分布している。F-tan(theta)distortionは−０．８〜０．１％の間に分布しており、F-theta distortionは、０〜２％の間に分布している。
【０１２７】
比較例１では、Ｄ１／ｆは、０．２９４未満である。比較例２では、Ｄ２／ｆは０．１７未満である。このため、比較例１および２のＭＴＦの値は、周辺部で０．４５未満であり、解像度が不良である。従って、Ｄ１／ｆが、０．２９４未満、またはＤ２／ｆは０．１７未満であることで、周辺部の解像度が劣ることがわかる。比較例１では、F-theta distortionが、０〜４％の間に分布しており、実施例１〜８に比べて値が大きく、歪曲収差が大きいことがわかる。比較例２では、F-tan(theta)distortionが−０．８〜０．１％の間に分布しており、実施例１〜８に比べて値が大きく、歪曲収差が大きいことがわかる。
【０１２８】
（変形例）
上述の実施の形態において、第１〜第５レンズ素子１０〜５０がガラスから構成される球面レンズである例について説明した。第１〜第５レンズ素子１０〜５０を構成する素材は、樹脂などのガラス以外の材料であってもよい。また、撮像レンズ１１０が備える第１〜第５レンズ素子１０〜５０で用いられるレンズの面は、球面、平面、あるいは非球面で形成されてもよい。レンズの面が球面又は平面の場合、レンズの加工及び組立調整が容易になり、加工及び組立調整の誤差による光学性能の劣化を防げるので好ましい。レンズの面が非球面の場合、研削加工による非球面、ガラスまたは樹脂を型で非球面形状に形成したモールド非球面、ガラスの表面に樹脂を非球面形状に形成した複合型非球面のいずれの非球面でも構わない。また、必要に応じて、レンズの面は回折面としてもよく、レンズを屈折率分布型レンズ等としてもよい。また、レンズ全系において、使用時等に外部に晒される面には、必要に応じて様々な加工を施すことも可能である。この加工の例としては、レンズ本体の曇り防止や水滴形成防止のために表面部を光触媒等により親水化すること等が挙げられる。また、第１から第５レンズ素子１０〜５０は、それぞれ１枚のレンズから構成されてもよく、複数のレンズを組み合わせて一つのレンズ素子としてもよい。
【０１２９】
上述の実施の形態において、撮像レンズ１１０が有する第３レンズ素子３０と第４レンズ素子４０とが接合レンズである例について説明した。第３レンズ素子３０と第４レンズ素子４０とは、離間して配置されてもよい。
【０１３０】
上述の実施の形態において、撮像レンズ１１０が、絞り７０を有する例について説明した。撮像レンズ１１０は、絞り７０に加えて、副絞りを有してもよい。これにより、収差を少なくすることができる。
【０１３１】
上述の実施の形態において、カメラ１００が、車載カメラとして用いられるものである例について説明した。カメラ１００は、車載カメラとして用いられる物に限定されず、デジタルカメラなどの民生用カメラ、監視カメラ、ロボットに搭載されるロボット用カメラなどに用いられてもよい。
【０１３２】
本発明は、本発明の広義の精神と範囲を逸脱することなく、様々な実施の形態及び変形が可能とされるものである。上述した実施の形態は、本発明を説明するためのものであり、本発明の範囲を限定するものではない。
【産業上の利用可能性】
【０１３３】
本発明は、車載カメラとして、好適に利用され得る。
【符号の説明】
【０１３４】
１０、１０’  第１レンズ素子
１１、１１’、１２、１２’  面
２０、２０’  第２レンズ素子
２１、２１’、２２、２２’  面
３０、３０’  第３レンズ素子
３１、３１’、３２、３２’  面
４０、４０’  第４レンズ素子
４１、４１’、４２、４２’  面
５０、５０’  第５レンズ素子
５１、５１’、５２、５２’  面
６０、６０’  ガラスフィルタ
７０  絞り
７１  開口部
１００  カメラ
１１０、１１０’  撮像レンズ
１２０  撮像素子
１３０  ハウジング
ｆ、ｆ’  焦点距離
【図１】
2019066583.tif 000003
【図２】
2019066583.tif 000004
【図３】
2019066583.tif 000005
【図４】
2019066583.tif 000006
【図５】
2019066583.tif 000007
【図６】
2019066583.tif 000008
【図７】
2019066583.tif 000009
【図８】
2019066583.tif 000010
【図９】
2019066583.tif 000011
【図１０】
2019066583.tif 000012
【図１１】
2019066583.tif 000013
【図１２】
2019066583.tif 000014
【図１３】
2019066583.tif 000015
【図１４】
2019066583.tif 000016
【図１５】
2019066583.tif 000017
【図１６】
2019066583.tif 000018
【図１７】
2019066583.tif 000019
【図１８】
2019066583.tif 000020
【図１９】
2019066583.tif 000021
【図２０】
2019066583.tif 000022
【図２１】
2019066583.tif 000023
【図２２】
2019066583.tif 000024
【図２３】
2019066583.tif 000025
【図２４】
2019066583.tif 000026
【図２５】
2019066583.tif 000027
【図２６】
2019066583.tif 000028
【図２７】
2019066583.tif 000029
【図２８】
2019066583.tif 000030
【図２９】
2019066583.tif 000031
【図３０】
2019066583.tif 000032
【図３１】
2019066583.tif 000033
【図３２】
2019066583.tif 000034